(57)【要約】【課題】住宅を含む建物であって軽量気泡コンクリートパネルによって構成された外壁と、該外壁に形成された開口部の屋内側に気密断熱材を配置する際の作業を容易とし、且つサッシ枠から開口パネルへの熱伝達を可及的に小さくする。【解決手段】軽量気泡コンクリートパネル１からなる外壁Ｂに形成された開口部Ａの周辺に枠体２を設置すると共に、該枠体２の屋内側に外壁Ｂの屋内側に配置された断熱材４を直接又は間接的に配置する。外壁Ｂの屋内側に配置された断熱材４を開口部Ａに設置された枠体２の屋内側まで延長することで、設置作業を容易とする。断熱材４と枠体２との当接部に気密テープ８を貼り付けることで、連続した気密層を形成する。サッシ枠１０を開口パネル９に取り付ける際に、取付金具４０を用いることで両者の接触面積を小さくする。【選択図】 図１ 
2004218423.tif 000002
【特許請求の範囲】
【請求項１】
軽量気泡コンクリートパネルからなる外壁に形成された開口部の構造であって、前記開口部の周辺に枠体を設置すると共に、該枠体の屋内側に外壁の屋内側に配置された気密断熱材を直接又は間接的に気密配置することを特徴とする外壁の開口部構造。
【請求項２】
前記枠体がサッシ枠である場合、該サッシ枠の屋内側の面と外壁の屋内側の面を略等しい面とし、外壁の屋内側に配置された気密断熱材がサッシ枠まで延長されていることを特徴とする請求項１に記載した外壁の開口部構造。
【請求項３】
前記枠体がサッシ枠である場合、外壁に形成された開口部に対応させて一対の縦フレームからなる開口パネルを配置し、前記サッシ枠の屋内側の面と外壁の屋内側の面を略等しい面とし、前記開口パネルの縦フレームに於けるサッシ枠を構成する上下枠と対応する位置に取付金具を固定し、該取付金具にサッシ枠の屋内側の面に於ける隅部を取り付けることを特徴とする請求項１又は２に記載した外壁の開口部構造。
【請求項４】
外壁の屋内側に配置された気密断熱材がサッシ枠を構成する上下枠及び取付金具まで延長されていることを特徴とする請求項３に記載した外壁の開口部構造。
【請求項５】
前記取付金具は直角に配置された二つの片を有し、一方の片は予め開口パネルを構成する縦フレームに固定されており、他の片にサッシ枠の屋内側の面が取り付けられるものであることを特徴とする請求項３又は４に記載した外壁の開口部構造。
【請求項６】
前記枠体に於ける開口部の上部にシャッターがある場合、該枠体の屋内側の面と外壁の屋内側の面を略等しい面とし、外壁の屋内側に配置された気密断熱材が枠体まで延長されていることを特徴とする請求項１に記載した外壁の開口部構造。
【請求項７】
前記枠体の屋内側で該枠体と外壁にまたがって又はその近傍に柱が存在する場合、枠体の柱と対向する位置に気密断熱材を配置すると共に該気密断熱材と外壁の屋内側に配置された気密断熱材とが柱を介して気密接合されていることを特徴とする請求項１に記載した外壁の開口部構造。
【請求項８】
前記枠体が玄関ドアである場合、開口部にドア枠を設置すると共に該ドア枠の側面内部及び屋内側面に気密断熱材を配置し、該気密断熱材と外壁の屋内側に配置された気密断熱材とが柱を介して気密接合されていることを特徴とする請求項１に記載した外壁の開口部構造。
【発明の詳細な説明】
【技術分野】
【０００１】
本発明は、外壁に形成される開口部の構造に関し、特に、開口部の周縁の気密断熱層と外壁に設けた気密断熱層とを気密性を保持して連続させる際の施工を容易にすることが出来る開口部構造に関するものである。
【背景技術】
【０００２】
住宅を含む建物には外壁が形成され、該外壁には窓や出入口を構成する開口部が形成される。窓に対応する開口部の周縁にはサッシ枠が設置され、このサッシ枠に障子が設けられる。また出入口に対応する開口部の周縁にはドア枠が設置され、このドア枠にドアが設けられるのが一般的である。
【０００３】
また冷暖房の効率を高めるために外壁の屋内側には全面にわたって断熱材が設けられ、且つ外壁に沿って通気層が形成されるのが一般的である。また通気層と室内との間で空気の流通があると断熱性や通気性及び防露性が損なわれるため、通気層と断熱層との間では気密処理がなされるのが一般的である。
【０００４】
通常、気密処理は気密材と気密材を気密テープで接続することで行われる。特に、開口部に於いて、気密シートと額縁（気密材として機能する）を気密接続するにあたり、気密テープを折り曲げることなく平面状に貼るための補助材を額縁に設けることが行われている（例えば特許文献１参照）。
【０００５】
外壁に形成された窓に対応する開口部にサッシを取り付ける一般的な構成は、開口部に対応させて、一対の縦フレームと一対の横フレームとを組み合わせて固定することで井桁状に形成された開口パネルを配置し、サッシ枠を構成する縦枠を縦フレームに、横枠を横フレームに対向させ、これらをボルト，ナット等の取付部品からなる複数のアンカーを介して夫々対応する部材に固定することで取り付けられている。また開口パネルには、横フレームの一方の片が縦フレームから前方（屋外側）に突出して配置されており、この突出した片にサッシ枠の横枠が接触して取り付けられるものもある。
【０００６】
【特許文献１】特開２００１−２８００１０号公報
【発明の開示】
【発明が解決しようとする課題】
【０００７】
住宅を設計する場合、外壁を軽量気泡コンクリートパネルによって構成した場合であっても、開口部に設置されるサッシ枠やドア枠を含む枠体の外壁の厚さ方向に対する位置（外壁に対する奥行き方向の出入り）は、断熱材の施工に対しては特別な考慮が払われていないのが一般的である。この結果、開口部に設置されるサッシ枠やドア枠の位置は建物の外観意匠的な面から検討されることとなり、特に軽量気泡コンクリートパネルからなる外壁を有する建物では、壁の厚さを強調するために外壁の奥側に引っ込んだ位置に配置されるようになっている。
【０００８】
このため、開口部に設置されるサッシ枠，ドア枠の屋内側の面が外壁の屋内側の面よりも更に屋内側に配置されることとなり、開口部を含む外壁の屋内側の面に断熱材を取り付ける際に、上記枠体に対応する部分では断熱材を変形させたり切り欠いたりするなどの手間を掛ける必要が生じ、施工手間がかかるという問題や、枠体に対応する部位の断熱性及び気密性を低下させる原因となってしまうという問題が生じている。
【０００９】
また開口部に設置されるサッシ枠が複数のアンカーを介して開口パネルの縦フレームと横フレームとに固定されるため、これらの部材やアンカーが気密断熱材を分断したり、熱橋になって熱損失を増大させるという問題があり、且つ開口パネルの横フレームが外壁の開口部側への突出片を有するため気密断熱材の施工に支障を来すという問題がある。
【００１０】
本発明の目的は、開口部を含む外壁の屋内側に於ける気密性を有する断熱材の配置形状を単純化することによって、設置作業を容易とし且つ断熱性や気密性を低下させることがなく、更に、サッシ枠から開口パネルへの熱伝達を可及的に小さくすることが出来る外壁の開口部構造を提供することにある。
【課題を解決するための手段】
【００１１】
上記課題を解決するために本発明に係る外壁の開口部の基本構造は、軽量気泡コンクリートパネル（以下「ＡＬＣパネル」という）からなる外壁に形成された開口部の構造であって、前記開口部の周辺に枠体を設置すると共に、該枠体の屋内側に外壁の屋内側に配置された気密断熱材を直接又は間接的に気密配置したものである。
【００１２】
上記基本構造に於いて、枠体がサッシ枠である場合、該サッシ枠の屋内側の面と外壁の屋内側の面を略等しい面とし、外壁の屋内側に配置された気密断熱材がサッシ枠まで延長されていることが好ましい。
【００１３】
また枠体がサッシ枠である場合、外壁に形成された開口部に対応させて一対の縦フレームからなる開口パネルを配置し、前記サッシ枠の屋内側の面と外壁の屋内側の面を略等しい面とし、前記開口パネルの縦フレームに於けるサッシ枠を構成する上下枠と対応する位置に取付金具を固定し、該取付金具にサッシ枠の屋内側の面に於ける隅部を取り付けることが好ましい。
【００１４】
上記外壁の開口部構造に於いて、外壁の屋内側に配置された気密断熱材がサッシ枠を構成する上下枠及び取付金具まで延長されていることが好ましく、特に、取付金具は直角に配置された二つの片を有し、一方の片は予め開口パネルを構成する縦フレームに固定されており、他の片にサッシ枠の屋内側の面が取り付けられるものであることが好ましい。
【００１５】
また上記基本構造に於いて、枠体に於ける開口部の上部にシャッターがある場合、該枠体の屋内側の面と外壁の屋内側の面を略等しい面とし、外壁の屋内側に配置された気密断熱材が枠体まで延長されていることが好ましい。
【００１６】
また上記基本構造に於いて、枠体の屋内側で該枠体と外壁にまたがって又はその近傍に柱が存在する場合、枠体の柱と対向する位置に気密断熱材を配置すると共に該気密断熱材と外壁の屋内側に配置された気密断熱材とが柱を介して気密接合されていることが好ましい。
【００１７】
更に、上記基本構造に於いて、枠体が玄関ドアである場合、開口部にドア枠を設置すると共に該ドア枠の側面内部及び屋内側面に気密断熱材を配置し、該気密断熱材と外壁の屋内側に配置された気密断熱材とが柱を介して気密接合されていることが好ましい。
【発明の効果】
【００１８】
上記外壁の開口部構造では、外壁をＡＬＣパネルによって構成することで該外壁の厚さをＡＬＣパネルの厚さとして確保することが出来る。このため、外壁に形成された開口部に枠体を配置し、外壁の屋内側に配置された断熱気密材を延長することで枠体の屋内側に直接配置し、また枠体の屋内側に気密断熱材を配置して外壁の屋内側に配置された気密断熱材と接続配置することが出来る。従って、外壁から開口部の屋内側にかけて連続した気密断熱層を形成することが出来る。
【００１９】
枠体を配置した開口部の屋内側に、枠体と外壁とにまたがって或いはその近傍に柱が存在し、外壁の屋内側に配置した気密断熱材を開口部側に延長し得ない場合、該柱に外壁の屋内側に配置した断熱材を気密接続し、更に、柱と枠体の間を気密断熱材を利用して気密接続することで、間接的に気密配置することが出来る。
【００２０】
また枠体がサッシ枠である場合には、ＡＬＣパネルによって構成された外壁の開口部にサッシ枠を設置することによって、該サッシ枠の屋内側の面と外壁の屋内側の面と略等しい面とすることが出来る。このため、外壁の屋内側に配置した気密断熱材を単に延長させることで、該気密断熱材を直接サッシ枠の屋内側の面に配置することが出来る。
【００２１】
特に、外壁に形成された開口部に対応させて一対の縦フレームからなる開口パネルを配置し、この開口パネルに於けるサッシ枠の上下枠と対応する位置に固定した取付金具を利用してサッシ枠を取り付けることによって、従来のサッシ枠を取り付ける開口パネルの横フレームを削除することが出来、従来の取付構造と比較してサッシ枠と開口パネルとの接触面積を小さくすることが出来る。このため、熱橋となる部分を可及的に小さくすることが出来る。
【００２２】
そして、外壁の屋内側に配置された気密断熱材をサッシ枠を構成する上下枠及び取付金具まで延長することによって、該気密断熱材をサッシ枠の屋内側の面に容易に配置することが出来る。
【００２３】
また取付金具が直角に配置された開口パネルを構成する縦フレームに固定された片と、サッシ枠の上下枠に於ける屋内側の面を取り付ける片とを有するため、サッシ枠の開口パネルに対する取付作業を容易に行うことが出来、且つサッシ枠に於ける取付金具に対応する面以外の屋内側の面に気密断熱材を配置することが出来る。
【００２４】
また枠体に於ける開口部の上部にシャッターがある場合には、外壁の開口部に枠体を配置することで、該開口部の上部にシャッターを配置すると共に、枠体の屋内側の面と外壁の屋内側の面を略等しい面とすることが出来る。このため、外壁の屋内側の面に配置した気密断熱材を単に延長させることで、該気密断熱材を直接枠体の屋内側の面に配置することが出来る。
【００２５】
また枠体の屋内側で該枠体と外壁にまたがって柱が存在する場合、或いは枠体と外壁の近傍に柱が存在する場合には、枠体の柱と対向する位置に気密断熱材を配置し、且つ柱を介して前記気密断熱材と外壁の屋内側に配置した気密断熱材とを接続することが出来る。このため、枠体の屋内側に配置した気密断熱材と外壁の屋内側に配置した気密断熱材とを間接的に接続することが出来る。
【００２６】
また枠体が玄関ドアである場合には、ドア枠の側面内部及び屋内側面に気密断熱材を配置し、且つ柱を介して前記気密断熱材と外壁の屋内側に配置した気密断熱材とを接続することが出来る。このため、ドア枠の屋内側に配置した気密断熱材と外壁の屋内側に配置した気密断熱材とを間接的に接続することが出来る。
【００２７】
上記各開口部構造では、開口部の周縁に於ける屋内側の形状が単純化され、外壁の屋内側に配置された断熱材を開口部側へ延長する際の作業が容易となり、且つ確実に気密処理することが出来る。
【発明を実施するための最良の形態】
【００２８】
以下、上記外壁の開口部構造の好ましい実施形態について説明する。本発明に係る外壁の開口部構造は、ＡＬＣパネルを用いて構成した外壁の屋内側の面と、外壁に形成された開口部に設置された枠体の屋内側の面とを連続した気密断熱層を形成するための構造である。
【００２９】
特に、開口部に設置した枠体の屋内側の面を外壁の屋内側の面と略等しくすることによって、外壁の屋内側の面に配置される気密断熱材を延長させることで直接枠体の屋内側の面に気密断熱材を配置し得るように構成したものであり、外壁と開口部にまたがって柱が存在する場合には、予め開口部に設置した枠体の屋内側の面に気密断熱材を配置しておくことで、柱と対向させて断熱層を形成すると共に気密処理し、且つ柱と外壁の屋内側の面に配置された気密断熱材とを当接させると共に当接部位を気密処理することで、枠体の屋内側の面に配置された気密断熱材と外壁の屋内側の面に配置された気密断熱材とを柱を介して間接的に接続することで、連続した気密断熱層を構成したものである。
【００３０】
外壁を構成するＡＬＣパネルの構成を限定するものではなく、所謂オートクレイブドライトウエイトコンクリート（ＡＬＣ）パネルや、発泡セラミック（ＰＡＬＣ）パネル等を用いることが可能である。またＡＬＣパネルの厚さは、目的の建物の設計段階で設定されるものであり、特に限定するものではない。通常の住宅では、約７５mm，１００mm程度の厚さを持ったＡＬＣパネルを用いるのが一般的である。
【００３１】
開口部に設置される枠体としては、サッシ枠，サッシとシャッターを一体化させた枠体，ドア枠等があり、外壁に形成された開口部の目的に対応させて最適なものを選択して設置することが可能である。従って、開口部の大きさも一義的に設定されるものではなく、開口部の目的に対応した最適な幅寸法と高さ寸法を持って形成される。
【００３２】
後述するように、上記枠体のうちサッシ枠はＡＬＣパネルの厚さに納まることが可能である。しかし、サッシとシャッターを一体化させた枠体（以下「シャッター枠」という）及びドア枠は、ＡＬＣパネルの厚さに納まらないことがある。この場合、シャッター枠では、シャッター枠の屋内側の面を外壁の屋内側の面と略等しい面とすることで、シャッターレール側が外壁の屋外側に突出することがあるが、意匠的に問題となることはない。またドア枠の場合には、該ドア枠の屋外の面を外壁の屋外側の面と略等しくすることで良い。
【００３３】
気密断熱材としては板状の断熱材、特に発泡プラスチック系の断熱材を用いることが好ましい。このような発泡プラスチック系の断熱材としては硬質ウレタンフォームやフェノール樹脂発泡体がある。特に、フェノール樹脂発泡体としては、本件出願人が開発して国際公開ＷＯー００−１７６１号公報に開示した技術があり、現在ネオマフォーム（登録商標）として提供しているものが気密断熱性能共にすぐれており好ましい。
【００３４】
上記フェノール樹脂発泡体は、フェノール樹脂基体部と、多数の微細気泡からなる気泡部と、を有する密度が１０kg／m3〜１００kg／m3のフェノールフォームであり、前記微細気泡が炭化水素を含有し且つ平均気泡径が５μｍ〜２００μｍの範囲にあり、大部分の微細気泡の気泡壁が滑らかなフェノール樹脂基体面で構成されている。そして発泡材が炭化水素であるにも関わらず、従来のフロン径発泡剤と遜色のない熱伝導率を持ち且つ熱伝導性の経時的な変化もなく、圧縮強度等の機械的強度に優れ、脆性が改善されている。
【００３５】
上記フェノール樹脂発泡体では、高い断熱性と気密性を有し、且つこれらの性能を長期間維持し得る性質を有している。フェノール樹脂発泡体に於ける断熱性は、気泡径が５μｍ〜２００μｍの範囲、好ましくは１０μｍ〜１５０μｍと小さく、且つ独立気泡径を８０％以上と高く保持することによって確保することが可能である。またフェノール樹脂発泡体は高い耐燃焼性を有しており、火炎が作用したとき、表面が炭化することで着火することがなく、且つガスが発生することがない。
【００３６】
例えば、フェノール樹脂発泡体の密度を２７kg／ｍ3に設定した場合、20℃に於ける熱伝導率は０．０２Ｗ／ｍ・Ｋであり、圧縮強さは１５Ｎ／cm2、熱変形温度は２００℃である。前記フェノール樹脂発泡体の性能は、押出発泡ポリスチレン３種が熱伝導率；０．０２８Ｗ／ｍ・Ｋ、圧縮強さ；２０Ｎ／cm2、熱変形温度８０℃であることや、硬質ウレタンフォーム２種が熱伝導率；０．０２４Ｗ／ｍ・Ｋ、圧縮強さ；８Ｎ／cm2、熱変形温度１００℃であることと比較して充分に高い性能を有する。
【００３７】
このため、フェノール樹脂発泡体からなる断熱材では、従来の押出発泡ポリスチレンや硬質ウレタンフォームの約２／３程度の厚さで略同等の断熱性能を発揮することが可能である。
【００３８】
またフェノール樹脂発泡体は比較的脆い材料であるため、少なくとも片面にクラフト紙や不織布からなる保護層を設けるのが一般的である。特に、本件出願人が開発して特許出願している特開弊１１−１９８３３２号公報に開示されたフェノール樹脂発泡体積層板は、保護層を形成する不織布を改良することによって接着性能を向上させたものであり、この不織布によってフェノール樹脂発泡体の強度を改善して、強度，断熱性共に優れた建築用断熱材料として提供されるものである。
【００３９】
開口部に設置される枠体がサッシ枠である場合、このサッシ枠は開口部に対向して配置された開口パネルに取り付けられる。この開口パネルは、両端部分が躯体を構成する上下の梁に固定される一対の縦フレームによって構成される。
【００４０】
縦フレームは開口部に設置されるサッシを支持するのに必要な強度を発揮し得るものであれば良く、構造や材質を限定するものではない。しかし、屋外側（ＡＬＣパネル側）の面がサッシ枠の屋内側の面と対向することから該面は平坦な面であることが好ましく、また一対の縦フレームが対向する面にはサッシ枠を取り付ける取付金具が固定されることから該面も平坦な面であることが好ましい。従って、縦フレームとしては山形材、或いは溝形材を用いることが好ましい。
【００４１】
取付金具はサッシ枠を開口パネルの縦フレームに取り付けるための金具であり、縦フレームに固定される固定片と、サッシ枠を取り付ける取付片との二片を有して構成されている。この取付金具は、開口部に取り付けたサッシに作用する力を支持するのに充分な剛性と強度を有することが必要であり、所定の肉厚を持った鋼材からなる山形の部材として、或いは固定片に対する取付片の撓みを防止するための補強片を有する部材として構成されることが好ましい。
【００４２】
次に、本発明に係る外壁の開口部構造の好ましい実施例について図を用いて説明する。図１は第１実施例に係る開口部構造の全体構成を説明する図である。
【実施例１】
【００４３】
先ず、図１により第１実施例に係る開口部構造を説明する。尚、同図（ａ）は開口部Ａの平断面図であり、同図（ｂ）は開口部Ａの縦断面図である。
【００４４】
図に於いて、多数のＡＬＣパネル１を配置して構成した外壁Ｂに、窓，シャッター付窓或いはドア等を設置するための開口部Ａが形成されている。開口部Ａの周縁には、該開口部Ａに配置される窓，シャッター付窓，ドア等を取り付けるための枠体２が設置され、所定の構造で図示しない躯体に固定されている。
【００４５】
枠体２は、縦方向に配置された一対の縦枠２ａと、縦枠２ａを横方向に連結して配置された上部横枠２ｂ，下部横枠２ｃとを有して構成されており、夫々の枠２ａ〜２ｃは取り付けるべき部材（障子，障子及びスラット，ドア等）に応じた形状を持って形成されている。
【００４６】
外壁Ｂの屋内側の面（ＡＬＣパネル１の屋内側の面１ａ）には、比較的に薄く且つ幅の狭い板状の気密断熱材からなるスペーサー３が所定の間隔を持って（ＡＬＣパネル１の継目に対応して）配置されており、且つ全面にわたって比較的に厚い板状の気密断熱材（以下単に「断熱材」という）４が配置されている。このため、ＡＬＣパネル１と断熱材４との間にはスペーサー３の厚さに対応した空間５が形成され、この空間５が外壁Ｂに沿った通気層としての機能を発揮する。
【００４７】
開口部Ａに設置した枠体２の屋内側に木枠６が設けられている。この木枠６は枠体２を構成する各枠２ａ〜２ｃと略一致して且つ並行に枠材６ａ〜６ｃが配置され、各枠材が互いに組み合わせられることによって、開口部Ａの屋内側の面と位置を規定し得るように構成されている。特に、木枠６を構成する枠材６ａ〜６ｃが枠体２を構成する各枠２ａ〜２ｃに設けた支持部２ｄと接触する。更に、木枠６の屋内側の端部には、内装材７が取り付けられている。
【００４８】
外壁Ｂの屋内側に配置された断熱材４は外壁Ｂと開口部Ａとの境界を越えて開口部Ａ側に延長され、端面が枠体２を構成する各枠２ａ〜２ｃの屋内側に延長され、そして木枠６を構成する各枠材６ａ〜６ｃと当接している。また枠体２を構成する各枠２ａ〜２ｃと断熱材４との当接部に沿って気密テープ８を貼り付けることで気密処理されている。
【００４９】
上記の如く構成された開口部Ａでは、断熱材４は外壁Ｂの屋内側から直接延長されて、開口部Ａに設置された枠体２の屋内側に配置されることとなる。このため、開口部Ａに設置された枠体２の屋内側の断熱材の施工が単純化され、気密断熱処理のための作業が容易となる。
【実施例２】
【００５０】
次に、第２実施例に係る開口部Ｃの構造について説明する。図２は第２実施例に係る開口部Ｃの平断面図を示し、開口部にサッシ枠を設置した場合の構造を説明する図である。図３は開口部の縦断面図である。図４は取付金具を介してサッシ枠を開口パネルに取り付けた状態を模式的に説明する斜視図である。図５は取付金具の他の例を説明する図である。尚、図に於いて、前述の第１実施例と同一の部分及び同一の機能を有する部分には同一の符号を付して説明を省略する（以下同じ）。
【００５１】
本実施例は開口部Ｃにサッシを設置する場合に好ましい構造である。開口部Ｃの構造を説明するのに先立って、図４，図５によりサッシ枠１０を開口パネル９の縦フレーム９ａに取り付ける構造の例と、取付金具の例を説明する。
【００５２】
サッシ枠１０は、一対の縦サッシ枠１０ａと、縦サッシ枠１０ａを横方向に接続する上部横サッシ枠１０ｂと下部横サッシ枠１０ｃと、を有して構成されており、各サッシ枠１０ａ〜１０ｃを互いに接続して構成されている。各サッシ枠１０ａ〜１０ｃを構成する部材は夫々断面形状が略四角形の中空材として形成されており、これにより、屋内側に平坦な面があり、且つ高い剛性を発揮することが可能である。
【００５３】
図４に示すように、開口パネル９は一対の縦フレーム９ａを有して構成されている。この開口パネル９は、目的の開口部Ｃに対応して配置され、各縦フレーム９ａの上端部分が上部の梁３１の下フランジ３１ａに固定（図３参照）されると共に下端部分が図示しない下部の梁に固定されることで躯体に取り付けられる。
【００５４】
縦フレーム９ａの所定位置、即ち、サッシ枠１０を開口部Ｃに配置したとき、該サッシ枠１０の上部横サッシ枠１０ｂと対応する位置、及び下部横サッシ枠１０ｃと対応する位置に、取付金具４０が固定されている。この取付金具４０は、風等によってサッシに作用する横荷重を支持する機能を有し、充分な剛性と強度を有する。このため、取付金具４０は、固定片４０ａと取付片４０ｂをＬ字型に形成して構成されており、固定片４０ａが縦フレーム９ａに固定され、取付片４０ｂにサッシ枠１０の上部横サッシ枠１０ｂ，下部横サッシ枠１０ｃの両端部が取り付けられている。
【００５５】
取付金具４０の固定片４０ａを縦フレーム９ａに固定する手段は特に限定するものではなく、ボルト，ナットを利用して、或いは溶接やリベットを利用して固定することが可能である。また取付片４０ｂのサッシ枠１０の上下横サッシ枠１０ｂ，１０ｃを取り付ける手段も特に限定するものではない。本実施例では、ボルト４１ａとナット４１ｂ（図３参照）を利用して取り付けている。
【００５６】
特に、取付片４０ｂの寸法は、サッシ枠１０の上下横サッシ枠１０ｂ，１０ｃを取り付ける際に用いるボルト４１ａの数と、該ボルト４１ａを締結する作業が容易に行える程度の長さと幅があれば良く、従来の開口パネルを構成する横フレームの寸法と比較して充分に小さい。このため、サッシ枠１０から開口パネル９への熱橋を小さくすることが可能となり、熱の損失を可及的に小さくすることが可能となる。
【００５７】
次に、図５に示す取付金具４３は鋼板をプレス成形して構成したものであり、開口パネル９の縦フレーム９ａに固定するための固定片４３ａと、固定片４３ａから直交方向に配置されサッシ枠１０を取り付ける取付片４３ｂと、取付片４３ｂから固定片４３ａ側に直角に屈折した補強片４３ｃと、を有して構成されている。特に、補強片４３ｃの固定片４３ａ側は固定片４３ａに対応する位置で屈折して固定片４３ａの延長線上に配置された延長固定片４３ｄとして構成されている。
【００５８】
取付片４３ｂの所定位置には複数のボルト穴４４が形成されている。また固定片４３ａには特別な穴は形成されず、開口パネル９の縦フレーム９ａに固定する際には溶接或いは図示しないリベットを用いるように構成されている。
【００５９】
上記の如く構成された取付金具４３では、補強片４３ｃが固定片４３ａと取付片４３ｂの間に直角に配置されているため、サッシ枠１０から取付片４３ｂに力が作用したときにこの力に対抗することが可能となり、取付片４３ｂの撓みを防止することが可能である。尚、本実施例では、各片４３ａ〜４３ｄをプレス加工して形成したが、必ずしもこの例に限定されるものではなく、Ｌ字型に形成した取付金具の固定片と取付片に補強片を溶接しても良いことは当然である。
【００６０】
次に、図２，図３により、前述した取付金具４３を用いてサッシ枠１０を開口パネル９に取り付けると共に開口部Ｃに配置した開口部構造について説明する。図に示すように、サッシ枠１０は、一対の縦サッシ枠１０ａと、縦サッシ枠１０ａを横方向に接続する上部横サッシ枠１０ｂと下部横サッシ枠１０ｃと、を有して構成されており、各サッシ枠１０ａ〜１０ｃを互いに接続して構成されている。
【００６１】
開口部Ｃと対向して開口パネル９が配置されており、該開口パネル９を構成する一対の縦フレーム９ａは上端部が梁３１の下フランジ３１ａに固定され、下端部は図示しない梁に固定されている。縦フレーム９ａの所定位置、即ち、開口部Ｃに設置されるサッシ枠１０の上部横サッシ枠１０ｂと下部横サッシ枠１０ｃと対応する位置には、夫々取付金具４３が固定されている。
【００６２】
サッシ枠１０の各横サッシ枠１０ｂ，１０ｃは、取付金具４３の取付片４３ｂに対向して配置されると共にボルト４１ａ，ナット４１ｂによって取り付けられている。即ち、サッシ枠１０は、上下左右の四隅のみで開口パネル９に取り付けられることとなり、両者の接触面積は取付金具４３の取付片４３ｂの面積となる。このため、従来の横フレームを有する開口パネルに取り付ける場合と比較して熱橋の面積を減少させることが可能となる。特に、サッシ枠１０の開口パネルに対する取り付けが四隅のみとなるため、取付構造が極めて簡単となり、これに伴って各横サッシ枠１０ｂ，１０ｃに対する断熱材４の取付施工が容易となる。この結果、開口部Ｃの気密断熱性をより向上させることが可能となる。
【００６３】
開口部Ｃの屋内側に木枠６が設けられており、開口パネル９に取り付けたサッシ枠１０を構成する各サッシ枠１０ａ〜１０ｃに設けた支持部１０ｄが木枠６を構成する枠材６ａ〜６ｃと接触している。
【００６４】
サッシ枠１０を構成する各サッシ枠１０ａ〜１０ｃの屋内側には、予め比較的に厚い断熱材１１が配置されると共に、各サッシ枠１０ａ〜１０ｃと断熱材１１とが一体化されている。断熱材１１の厚さは限定するものではないが、サッシ枠１０の厚さとＡＬＣパネル１の厚さとに応じて適宜設定することが可能である。また本実施例では断熱材１１は必須ではなく、この断熱材１１がなくとも断熱性能に支障をきたすことはない。
【００６５】
サッシ枠１０は屋内側の面が、外壁Ｂを構成するＡＬＣパネル１の屋内側の面１ａと略等しくなるように設置されている。このため、サッシ枠１０の厚さとＡＬＣパネル１の厚さとの関係で、サッシ枠１０の屋外側の面が外壁Ｂの屋外側の面と同一にならないこともある。しかし、サッシ枠１０と外壁Ｂとの屋外側の面が同一面にならなくとも、屋内側の面が略同一であれば本発明の目的を達成することが可能である。
【００６６】
サッシ枠１０の屋外側であってＡＬＣパネル１との間隙にはシーリング材１２が充填され、雨水の浸入を防止し得るように構成されている。
【００６７】
外壁Ｂを構成するＡＬＣパネル１の屋内側にはスペーサー３を介して断熱材４が配置され、該断熱材４が開口部Ｃに設置したサッシ枠１０の縦サッシ枠１０ａに対向して配置された開口パネル９の縦フレームとなる縦フレーム９ａに当接するまで延長されている。また延長された断熱材４の端部と縦フレーム９ａとの当接部、及びサッシ枠１０の縦サッシ枠１０ａと縦フレーム９ａとの交叉部には、夫々気密テープ８が貼り付けられて気密処理されている。
【００６８】
上記の如く構成された開口部Ｃでは、断熱材４は外壁Ｂの屋内側から直接延長されて、開口部Ｃに設置されたサッシ枠１０の屋内側に配置されることとなる。このため、開口部Ｃに設置されたサッシ枠１０の屋内側の断熱材の施工が単純化され、気密断熱処理のための作業が容易となる。
【実施例３】
【００６９】
次に、図６により第３実施例に係る開口部Ｄの構成について説明する。尚、同図は開口部Ｄの縦断面図であり、開口部Ｄと該開口部Ｄの上部に配置されたシャッターボックス１５ｅを示すものである。
【００７０】
図に於いて、開口部Ｄにはサッシとシャッターとが一体化されたシャッター枠１５が設置されている。このシャッター枠１５は、図示しない一対の縦シャッター枠と、縦シャッター枠を接続する上部シャッター枠１５ｂ及び図示しない下部シャッター枠とを有して構成されており、各シャッター枠には障子用のレールとシャッターを構成するスラットのレールとが設けられている。
【００７１】
シャッター枠１５ｂの上部にはスラットを収容するシャッターボックス１５ｅが一体的に設けられており、縦横のシャッター枠及びシャッターボックス１５ｅの屋内側の面は同一面として構成されている。そしてシャッター枠１５の屋内側、従ってシャッターボックス１５ｅの屋内側の面が外壁Ｂを構成するＡＬＣパネル１の屋内側の面と略同一となるように配置されて開口部Ｄに設置されている。
【００７２】
また開口部Ｄに設置されたシャッター枠１５に於ける障子部分に対応して木枠６が設けられており、該木枠６の端部が支持部１５ｄによって支持されている。このため、シャッターボックス１５ｅは開口部Ｄの上部に於いて屋内に露出することとなる。
【００７３】
外壁Ｂを構成するＡＬＣパネル１の屋内側の面１ａにはスペーサー３を介して断熱材４が配置されている。この断熱材４は、ＡＬＣパネル１に沿って配置されると共に開口部Ｄに延長されて端部が木枠６と当接し、該当接部或いはシャッターボックス１５ｅとの接続部に気密テープ８が貼り付けられて気密処理されている。従って、断熱材４はＡＬＣパネル１の屋内側の面からシャッターボックス１５ｅの屋内側の全面にわたって対向している。
【００７４】
シャッターボックス１５ｅが開口部Ｄの上部に配置されることから、該シャッターボックス１５ｅの上方に建物の躯体を構成する梁３１が位置する。このため、梁３１に対応して設けたＡＬＣパネル１の屋内側に配置された断熱材４を、梁316の下フランジ３１ａに当接させると共に該下フランジ３１ａに取り付けた断熱材１７と接触し、接触部位に気密テープ８が貼り付けられている。
【００７５】
上記の如く構成された開口部Ｄでは、断熱材４は外壁Ｂの屋内側から直接延長されて、開口部Ｄに設置されたシャッター枠１５の屋内側に配置されることとなる。このため、開口部シャッターに設置されたシャッター枠１５の屋内側の断熱材の施工、特に、シャッターボックス１５ｅの屋内側の施工が単純化され、気密断熱処理のための作業が容易となる。
【実施例４】
【００７６】
次に、図７により第４実施例に係る開口部Ｅの構成について説明する。この開口部Ｅは前述した第２実施例の開口部Ｃの構成と略同一であるが、外壁Ｂと開口部Ｅとにのぞむ位置に躯体を構成する柱３２が存在する点で異なるものである。
【００７７】
図に於いて、開口部Ｅの周縁を構成するＡＬＣパネル１の端部は柱３２の中心と略一致する位置に設定されている。柱３２と対向するＡＬＣパネル１の屋内側の端部にはスペーサー３が設けられており、該スペーサー３が断熱材としての機能を発揮し得るようになっている。
【００７８】
また開口部Ｅに設置されるサッシ枠１０を構成する各サッシ枠（縦サッシ枠１０ａ，上部サッシ枠１０ｂ，下部サッシ枠１０ｃ）の屋内側の面には予め断熱材１１が取り付けられている。従って、開口部Ｅにサッシ枠１０を設置したとき、該サッシ枠１０の屋内側に設けた断熱材１１は、ＡＬＣパネル１の開口部Ｅの周縁に沿って設けたスペーサー３と当接或いは接触することで断熱層が連続し得るように構成されている。
【００７９】
外壁Ｂの屋内側に配置された断熱材４は、柱３１と当接すると共に当接部に気密テープを貼り付けて気密処理されている。またサッシ枠１０の屋内側の面に設けた断熱材１１と開口フレーム９を構成する縦フレーム９ａ，横フレームとの接続部、及び縦フレーム９ａと柱３１の屋内側の対向部には、夫々気密テープ８が貼り付けられて気密処理されている。
【００８０】
上記の如く構成された開口部Ｅでは、外壁Ｂの屋内側の断熱材４は、スペーサー３を介してサッシ枠１０の屋内側に設けた断熱材１１と接続されて連続した断熱層を形成することが可能である。また断熱材４と柱３２との当接部、サッシ枠１０と開口パネル９との接続部、開口パネル９を構成する縦フレーム９ａと柱３２との屋内側を夫々気密テープ８によって気密処理することで、柱32を介して連続した気密層を形成することが可能である。
【実施例５】
【００８１】
次に、図８，図９により第５実施例に係る開口部Ｆの構成について説明する。この開口部Ｆには玄関ドアが設けられている。玄関ドアを設置する開口部Ｆでは少なくとも片側に柱３２が配置されていることが多い。このため、本実施例では開口部Ｆの両側に柱３２が配置されている場合について説明する。
【００８２】
玄関ドアは、開口部Ｆの周縁に設置されたドア枠２０と、該ドア枠２０に開閉可能に取り付けられたドア２１とを有して構成されており、特に、ドア枠２０は、対向して配置された一対の縦ドア枠２０ａと、縦ドア枠２０ａの上部を接続する図示しない上部横ドア枠２０ｂと、縦ドア枠２０ａの下端部分を接続する下部横ドア枠２０ｃとを有して構成されている。前記縦ドア枠２０ａ，上部横ドア枠２０ｂ，下部横ドア枠２０ｃは、互いに接続されて井桁状のドア枠２０として構成され、上部側が躯体を構成する梁３１に取り付けられ、下部側がアンカー部材３３に取り付けられている。特に、ドア枠２０はＡＬＣパネル１の厚さと比較して大きい厚さ寸法（ＡＬＣパネル１の厚さ方向の寸法）を有している。
【００８３】
通常コーナーパネル３４は柱３２に取り付けられることが多いが、本実施例では、縦ドア枠２０ａの上下方向の少なくとも２個所にクランク状の取付ブラケット３５ａを取り付け、この取付ブラケット３５ａに配置された固定ボルト３５ｂ，調整ボルト３５ｃを利用して取り付けている。従って、コーナーパネル３４は、ドア枠２０（縦ドア枠２０ａ）に対して取付位置及び取付姿勢を調整し得るように取り付けられている。
【００８４】
ドア枠２０を構成する縦ドア枠２０ａと上部横ドア枠２０ｂの側面内側には予め断熱材２２が配置されており、屋内側の内側には断熱材２３が配置されている。これらの断熱材２２，２３が縦ドア枠２０ａ，上部横ドア枠２０ｂに配置されることによって、ドア枠２０に断熱性を発揮させることが可能である。
【００８５】
柱３２は、外壁Ｂを構成するＡＬＣパネル１とコーナーパネル３４との接続部に配置されている。ＡＬＣパネル１の屋内側であって柱３２と対向する面からコーナーパネル３４にわたってスペーサー３が配置され、コーナーパネル３４の柱３２と対向する他の面にもスペーサー３と同一仕様の断熱材（スペーサー３）が配置されている。特に、ＡＬＣパネル１の屋内側にはスペーサー３を介して断熱材４が配置されており、該断熱材４の端部が柱32に当接すると共に当接部に気密テープ８が貼り付けられて気密処理されている。
【００８６】
柱３２とドア枠２０の縦ドア枠２０ａとの間には断熱材４が配置されており、この断熱材４のコーナーパネル３４側は、縦ドア枠２０ａの屋内側の内側に配置された断熱材２３及びスペーサー３と接触している。また断熱材４の一方側の端面は柱３２の側面と当接すると共に当接部には気密テープ８が貼り付けられ、他方の端面は縦ドア枠２０ａの内面に当接すると共に当接には気密テープ８が梁付けられている。
【００８７】
またドア枠２０の上部横ドア枠２０ｂの上方で且つ外壁Ｂを構成するＡＬＣパネル１の屋内側には断熱材４が配置されており、この断熱材４のＡＬＣパネル１側の面は上部横ドア枠２０ｂに設けた断熱材２３と接触している。また断熱材４の上部側の端部は梁３１の下フランジ３１ａに取り付けた断熱材１７と当接すると共に当接部に気密テープ８が貼り付けられ、下部側の端部は上部横ドア枠２０ｂの内面と当接すると共に当接部に気密テープ８が貼り付けられている。
【００８８】
従って、開口部Ｆの屋内側であって縦ドア枠２０ａと柱３２との間に配置された断熱材４は該柱３２のＡＬＣパネル１，コーナーパネル３４側に配置されたスペーサー３を介してＡＬＣパネル１の屋内側に配置された断熱材４と接続されている。また柱３２との当接部及び縦ドア枠２０ａとの当接部が気密テープ８によって気密処理されることで、連続した気密層が形成されている。
【００８９】
また開口部Ｆの屋内側であって上部横ドア枠２０ｂの上部に配置された断熱材４は、梁３１の下フランジ３１ａに取り付けた断熱材１７と接続されている。また断熱材４と断熱材１７との接続部及び上部横ドア枠２０ｂの内面との当接部が気密テープ８によって気密処理されることで、連続した気密層が形成されている。
【００９０】
上記の如く構成された開口部Ｆでは、外壁Ｂを構成するＡＬＣパネル１の屋内側の断熱材４は、スペーサー３を介してコーナーパネル３４の屋内側に設けたスペーサー３と接続されると共に柱３２と縦ドア枠２０ａの間に配置された断熱材４と接続され、更に、縦ドア枠２０ａの側面及び屋内側面に配置された断熱材２２，２３と接続され、これにより、ＡＬＣパネル１からコーナーパネル３４を経て縦ドア枠２０ａに至る連続した断熱層を形成することが可能である。またＡＬＣパネル１の屋内側であって上部横ドア枠２０ｂの上方に配置された断熱材４は、梁３１に設けた断熱材１７と接続されると共に、上部ドア枠２０ｂの側面及び屋内側面に配置された断熱材２２，２３と接続されることで、梁３１から上部横ドア枠２０ｂに至る連続した断熱層を形成することが可能である。
【００９１】
またＡＬＣパネル１の屋内側の断熱材４と柱３２との当接部、コーナーパネル３４の屋内側の断熱材４と柱３２との当接部及び縦ドア枠２０ａとの当接部に夫々気密テープ８によって気密処理することで、柱３２を介して連続した気密層を形成することが可能である。更に、ＡＬＣパネル１の屋内側であって上部横ドア枠２０ｂの上部に配置された断熱材４と梁３１の下フランジ３１ａに取り付けた断熱材１７との当接部及び上部ドア枠２０ｂとの当接部を夫々気密テープ８によって気密処理することで梁３１との間に連続した気密層を形成することが可能である。
【産業上の利用可能性】
【００９２】
本発明に係る開口部構造は、開口部の配置したサッシ枠１０，シャッター枠１５，ドア枠２０の裏面に気密断熱材を配置して断熱性と気密性を向上させることが可能であり、高い断熱性と気密性を実現した住宅に適用することが可能である。
【図面の簡単な説明】
【００９３】
【図１】第１実施例に係る開口部構造の全体構成を説明する図である。
【図２】第２実施例に係る開口部Ｃの平断面図を示し、開口部にサッシ枠を設置した場合の構造を説明する図である。
【図３】開口部Ｃの縦断面図である。
【図４】取付金具を介してサッシ枠を開口パネルに取り付けた状態を模式的に説明する斜視図である。
【図５】取付金具の他の例を説明する図である。
【図６】第３実施例に係る開口部構造を示し、開口部にシャッター枠を設置した場合の構造を説明する図である。
【図７】第４実施例に係る開口部構造を示し、開口部と外壁とにまたがって柱が存在する場合の構造を説明する図である。
【図８】第５実施例に係る開口部構造を示し、開口部にドア枠を設置した場合の構造を説明する平断面図である。
【図９】第５実施例に係る開口部構造を示し、開口部にドア枠を設置した場合の構造を説明する縦断面図である。
【符号の説明】
【００９４】
Ａ，Ｃ〜Ｆ                      開口部
Ｂ                              外壁
１                              ＡＬＣパネル
１ａ                            面
２                              枠体
２ａ                            縦枠
２ｂ                            上部横枠
２ｃ                            下部横枠
２ｄ                            支持部
３                              スペーサー
４                              断熱材
５                              空間
６                              木枠
６ａ〜６ｃ                      枠材
７                              内装材
８                              気密テープ
９                              開口パネル
９ａ                            縦フレーム
１０                            サッシ枠
１０ａ                          縦サッシ枠
１０ｂ                          上部横サッシ枠
１０ｃ                          下部横サッシ枠
１０ｄ                          支持部
１１                            断熱材
１２                            シーリング材
１５                            シャッター枠
１５ｂ                          上部シャッター枠
１５ｄ                          支持部
１５ｅ                          シャッターボックス
１７                            断熱材
２０                            ドア枠
２０ａ                          縦ドア枠
２０ｂ                          上部横ドア枠
２０ｃ                          下部横ドア枠
２１                            ドア
２２，２３                      断熱材
３１                            梁
３１ａ                          下フランジ
３２                            柱
３３                            アンカー部材
３４                            コーナーパネル
３５ａ                          取付ブラケット
３５ｂ                          固定ボルト
３５ｃ                          調整ボルト
４０，４３                      取付金具
４０ａ，４３ａ                  固定片
４０ｂ，４３ｂ                  取付片
４１ａ                          ボルト
４１ｂ                          ナット
４３ｃ                          補強片
４３ｄ                          延長固定片
４４                            ボルト穴
【図１】
2004218423.tif 000003
【図２】
2004218423.tif 000004
【図３】
2004218423.tif 000005
【図４】
2004218423.tif 000006
【図５】
2004218423.tif 000007
【図６】
2004218423.tif 000008
【図７】
2004218423.tif 000009
【図８】
2004218423.tif 000010
【図９】
2004218423.tif 000011